(57)【要約】【課題】斜め方向からの個人情報等の漏洩を好適に防止することができるとともに、正面輝度の低下を抑制することができる視野角制限シート及びこの視野角制限シートを備えるフラットパネルディスプレイの提供を目的とする。【解決手段】本発明の視野角制限シートは、多条状に突設される複数の第一光透過部、及び上記複数の第一光透過部の間に充填される第二光透過部を有する光学機能層を備え、上記第一光透過部の上端の左右が面取状に形成されており、上記第一光透過部が第二光透過部と異なる光学的機能を有している。上記第一光透過部の少なくとも先端部が、逆Ｕ字状の断面形状を有するとよい。上記第一光透過部が、樹脂製マトリックスと、このマトリックスに含有される光拡散剤とを有するとよい。【選択図】図１
2013242550.tif 000002
【特許請求の範囲】
【請求項１】
多条状に突設される複数の第一光透過部、及び上記複数の第一光透過部の間に充填される第二光透過部を有する光学機能層を備え、
上記第一光透過部の上端の左右が面取状に形成されており、
上記第一光透過部が第二光透過部と異なる光学的機能を有する視野角制限シート。
【請求項２】
上記第一光透過部の少なくとも先端部が、逆Ｕ字状の断面形状を有する請求項１に記載の視野角制限シート。
【請求項３】
上記第一光透過部が、樹脂製マトリックスと、このマトリックスに含有される光拡散剤とを有する請求項１又は請求項２に記載の視野角制限シート。
【請求項４】
上記マトリックスの屈折率（ｎ１）が上記第二光透過部の屈折率（ｎ２）よりも大きい請求項３に記載の視野角制限シート。
【請求項５】
上記マトリックスの屈折率（ｎ１）と第二光透過部の屈折率（ｎ２）との差（ｎ１−ｎ２）が０．１５以上である請求項４に記載の視野角制限シート。
【請求項６】
上記光拡散剤が樹脂ビーズであり、上記マトリックスの屈折率（ｎ１）がこの樹脂ビーズの屈折率（ｎ３）よりも大きい請求項３、請求項４又は請求項５に記載の視野角制限シート。
【請求項７】
上記マトリックスが、電離放射線硬化型樹脂によって形成される請求項３から請求項６のいずれか１項に記載の視野角制限シート。
【請求項８】
上記第一光透過部の厚み（Ｔ１）の裏面側の幅（Ｗ１）に対する比（Ｔ１／Ｗ１）が、１／２以上４以下である請求項３から請求項７のいずれか１項に記載の視野角制限シート。
【請求項９】
上記第二光透過部の裏面側の幅（Ｗ２）の上記第一光透過部の裏面側の幅（Ｗ１）に対する比（Ｗ２／Ｗ１）が、１以上４以下である請求項３から請求項８のいずれか１項に記載の視野角制限シート。
【請求項１０】
上記第二光透過部の裏面側の幅（Ｗ２）が、１０μｍ以上２００μｍ以下である請求項３から請求項９のいずれか１項に記載の視野角制限シート。
【請求項１１】
上記第二光透過部が、樹脂製マトリックスと、このマトリックスに含有される光拡散剤とを有する請求項１又は請求項２に記載の視野角制限シート。
【請求項１２】
上記第二光透過部が、第一光透過部の先端部を覆うよう一体的に形成されている請求項１から請求項１１のいずれか１項に記載の視野角制限シート。
【請求項１３】
上記光学機能層が、上記第一光透過部及び上記第二光透過部の裏面側に配設される基材層をさらに備える請求項１から請求項１２のいずれか１項に記載の視野角制限シート。
【請求項１４】
フラットパネルディスプレイの表示パネルの表面側に配設される請求項１から請求項１３のいずれか１項に記載の視野角制限シート。
【請求項１５】
請求項１４に記載の視野角制限シートを備えるフラットパネルディスプレイ。
【発明の詳細な説明】
【技術分野】
【０００１】
本発明は、視野角制限シート及びフラットパネルディスプレイに関する。
【背景技術】
【０００２】
フラットパネルディスプレイは、携帯電話、携帯情報端末（ＰＤＡ）、パーソナルコンピュータ、テレビなどの情報用表示デバイスとして多用されている。
【０００３】
このようなフラットパネルディスプレイは、例えば携帯電話や携帯情報端末についていえば、所望の場所で必要な情報を得ることができる等の利点を有する。しかしながら、かかる携帯電話や携帯情報端末に表示される画像は、場所によってはユーザ以外の第三者からも覗き見されるおそれが高く、個人情報漏洩等のプライバシー上の問題を抱えている。
【０００４】
また、フラットパネルディスプレイとしては、ユーザの操作容易性、迅速性等を向上させるべくタッチパネルが搭載されているものもある。かかるタッチパネルが搭載されたフラットパネルディスプレイは、例えば銀行のＡＴＭ等に用いられているが、ユーザがタッチパネルを介して暗証番号や個人情報を入力した際に第三者から覗き見されると、このような情報が悪用されるおそれがある。
【０００５】
このような問題に鑑み、今日では、視野角を制限することで第三者による覗き見を防止することができる視野角制限シートが発案されている（特開２０１０−２２３９９６号公報参照）。
【０００６】
この視野角制御光学シートは、表示画面に狭い視野角を与える第１領域と、表示画面に広い視野角を与える第２領域とを有している。この視野角制御光学シートは、上記第一領域が、光透過性材料からなる光透過部分と光吸収材料からなる光吸収部分とを交互に配置していることを特徴としている。この視野角制御光学シートは、垂直方向の光を中心とした一定の角度範囲の光を取り出すとともに、斜め方向の光を光吸収部分で吸収することができるので、第三者による斜め方向からの覗き見を防止することができる。しかしながら、この視野角制御光学シートは、光吸収部分が一定間隔で配置されているため、正面輝度の低下を招きやすいという問題を有している。
【先行技術文献】
【特許文献】
【０００７】
【特許文献１】特開２０１０−２２３９９６号公報
【発明の概要】
【発明が解決しようとする課題】
【０００８】
本発明は、このような事情に鑑みてなされたものであり、斜め方向からの個人情報等の漏洩を好適に防止することができるとともに、正面輝度の低下を抑制することができる視野角制限シート及びこの視野角制限シートを備えるフラットパネルディスプレイの提供を目的とするものである。
【課題を解決するための手段】
【０００９】
上記課題を解決するためになされた発明は、
多条状に突設される複数の第一光透過部、及び上記複数の第一光透過部の間に充填される第二光透過部を有する光学機能層を備え、
上記第一光透過部の上端の左右が面取状に形成されており、
上記第一光透過部が第二光透過部と異なる光学的機能を有する視野角制限シートである。
【００１０】
当該視野角制限シートは、第一光透過部及び第二光透過部の光学的機能が相違しているので、第一光透過部及び第二光透過部のうちのいずれか一方に入射した光線の透過方向を変更することができる。従って、当該視野角制限シートは、光学機能層に対して略垂直に入射され、例えば第二光透過部のみを透過する光線によって正面側の視認者（ユーザ）に対して鮮明な画像を表示させるとともに、第一光透過部に入射される光線の透過方向を変更して所定方向からの視認者に対して表示される画像をぼやけさせることができ、個人情報等の漏洩を防止することができる。また、当該視野角制限シートは、第二光透過部が複数の第一光透過部の間に充填され、かつ第一光透過部の上端の左右が面取状に形成されているので、第一光透過部と第二光透過部との接触面積が大きくなり、第一光透過部と第二光透過部とを強固に固定することができる。その結果、当該視野角制限シートは、形状安定性等を向上させることができる。
【００１１】
当該視野角制限シートは、上記第一光透過部の少なくとも先端部が、逆Ｕ字状の断面形状を有するとよい。これにより、第一光透過部と第二光透過部との接触面積を好適に大きくすることができる。
【００１２】
当該視野角制限シートは、上記第一光透過部が、樹脂製マトリックスと、このマトリックスに含有される光拡散剤とを有するとよい。これにより、裏面側から第二光透過部に対して所定の斜め方向から入射された光線については第一光透過部によって拡散させたうえで出射させることができる。一方、当該視野角制限シートは、裏面側から第二光透過部に対して略垂直に入射された光線については第二光透過部の表面側から略垂直に出射させることができる。従って、当該視野角制限シートは、正面方向からの視認者に対しては鮮明な画像を表示させることができるとともに、斜め方向からの視認者に対しては表示される画像をぼやけさせることで個人情報等の漏洩を防止することができる。当該視野角制限シートは、裏面側から第二光透過部に対して所定の斜め方向から入射された光線を第一光透過部によって拡散させることで個人情報等の漏洩を防止するものであるから、正面輝度の低下を抑制することができる。当該視野角制限シートは、第一光透過部の上端の左右が面取状に形成されているので、この上端の形状を調整することで、視野角を容易かつ好適に調整することができる。
【００１３】
当該視野角制限シートは、上記マトリックスの屈折率（ｎ１）が上記第二光透過部の屈折率（ｎ２）よりも大きいとよい。これにより、斜め方向から入射された光線をより外側に傾斜させることができ、正面方向からの視認者に対して表示される画像の鮮明度を向上させることができる。
【００１４】
当該視野角制限シートは、上記マトリックスの屈折率（ｎ１）と第二光透過部の屈折率（ｎ２）との差（ｎ１−ｎ２）が０．１５以上であるとよい。これにより、正面方向からの視認者に対して表示される画像の鮮明度をさらに向上させることができる。
【００１５】
当該視野角制限シートは、上記光拡散剤が樹脂ビーズであり、上記マトリックスの屈折率（ｎ１）がこの樹脂ビーズの屈折率（ｎ３）よりも大きいとよい。これにより、第一光透過部に入射した光線を好適に拡散させることができる。
【００１６】
当該視野角制限シートは、上記マトリックスが、電離放射線硬化型樹脂によって形成されるとよい。これにより、第一光透過部の形成容易性を向上させることができるとともに、形成後の第一光透過部の精度を高めることができる。また、当該視野角制限シートは、上記マトリックスが電離放射線硬化型樹脂によって形成されることによって、第一光透過部の物理的強度を高めることができる。
【００１７】
当該視野角制限シートは、上記第一光透過部の厚み（Ｔ１）の裏面側の幅（Ｗ１）に対する比（Ｔ１／Ｗ１）が、１／２以上４以下であるとよい。これにより、第一光透過部に入射される光線を好適に拡散させることができるとともに、第一光透過部の先端部の形状を調整して好適に視野角を調整することができる。
【００１８】
当該視野角制限シートは、上記第二光透過部の裏面側の幅（Ｗ２）の上記第一光透過部の裏面側の幅（Ｗ１）に対する比（Ｗ２／Ｗ１）が、１以上４以下であるとよい。これにより、斜め方向からの個人情報等の漏洩を防止するとともに、第一光透過部により拡散される光線によって正面方向から視認した場合の画像の鮮明度が低下するのを抑制することができる。
【００１９】
当該視野角制限シートは、上記第二光透過部の裏面側の幅（Ｗ２）が、１０μｍ以上２００μｍ以下であるとよい。これにより、斜め方向からの個人情報等の漏洩を防止するとともに、正面方向から視認した場合の画像の鮮明度が低下するのを抑制することができる。
【００２０】
また、当該視野角制限シートは、上記第二光透過部が、樹脂製マトリックスと、このマトリックスに含有される光拡散剤とを有するとよい。当該視野角制限シートは、このような構成によっても、裏面側から第一光透過部に対して所定の斜め方向から入射された光線については第二光透過部によって拡散させたうえで出射させることができる。一方、当該視野角制限シートは、裏面側から第一光透過部に対して略垂直に入射された光線については第一光透過部の表面側から略垂直に出射させることができる。従って、当該視野角制限シートは、正面方向からの視認者に対しては鮮明な画像を表示させることができるとともに、斜め方向からの視認者に対しては表示される画像をぼやけさせることで個人情報等の漏洩を防止することができる。また、当該視野角制限シートは、第一光透過部の上端の左右が面取状に形成され、かつ第二光透過部が複数の第一光透過部の間に充填されているので、第二光透過部の上端によって防眩機能が付加される。その結果、当該視野角制限シートは、外光を散乱させて外光の反射や像の映り込みによる視認性の低下を防止することができる。
【００２１】
当該視野角制限シートは、上記第二光透過部が、第一光透過部の先端部を覆うよう一体的に形成されているとよい。これにより、成形性、強度、形状安定性等を向上させることができる。
【００２２】
当該視野角制限シートは、上記光学機能層が、上記第一光透過部及び上記第二光透過部の裏面側に配設される基材層をさらに備えるとよい。これにより、成形性、強度、形状安定性等を向上させることができる。
【００２３】
当該視野角制限シートは、フラットパネルディスプレイの表示パネルの表面側に配設されるとよい。これにより、正面方向からの視認者に対して鮮明な画像を表示させるとともに、斜め方向からの個人情報等の漏洩を好適に防止することができる。
【００２４】
また、上記課題を解決するためになされたフラットパネルディスプレイは、
表示パネルの表面側に配設される当該視野角制限シートを備えるフラットパネルディスプレイである。
【００２５】
当該フラットパネルディスプレイは、視野角制限シートの第一光透過部及び第二光透過部の光学的機能が相違しているので、第一光透過部及び第二光透過部のうちのいずれか一方に入射した光線の透過方向を変更することができる。従って、当該フラットパネルディスプレイは、視野角制限シートの光学機能層に対して略垂直に入射され、例えば第二光透過部のみを透過する光線によって正面側の視認者に対して鮮明な画像を表示させるとともに、第一光透過部に入射される光線の透過方向を変更して所定方向からの視認者に対して表示される画像をぼやけさせることができ、個人情報等の漏洩を防止することができる。
【００２６】
なお、本発明において、「幅」は、平均幅を意味する。また、「厚み」とは、ＪＩＳ  Ｋ７１３０に準じて測定した平均厚さをいう。「表面側」とは、フラットパネルディスプレイにおける視認者側を意味し、「裏面側」とは、その反対側を意味する。「面取状」とは、平面及び曲面形状を含む概念である。
【発明の効果】
【００２７】
以上説明したように、本発明の視野角制限シート及びこの視野角制限シートを備えるフラットパネルディスプレイは、斜め方向からの個人情報等の漏洩を好適に防止することができるとともに、正面輝度の低下を抑制することができる。
【図面の簡単な説明】
【００２８】
【図１】本発明の一実施形態に係る視野角制限シートを示す模式的断面図である。
【図２】図１の視野角制限シートに対して裏面側から入射した光線の拡散作用を示す図である。
【図３】図１の視野角制限シートの製造過程を示す模式的断面図である。
【図４】図１の視野角制限シートとは異なる形態に係る視野角制限シートを示す模式的平面断面図（ａ）及び模式的側面断面図（ｂ）である。
【図５】図１及び図４と異なる形態に係る視野角制限シートを示す模式的平面断面図（ａ）及び模式的断面図（ｂ）である。
【図６】本発明の一実施形態に係るタッチパネルを示す模式的断面図である。
【図７】図１、図４及び図５の視野角制限シートとは異なる形態に係る視野角制限シートを示す模式的断面図である。
【図８】図６のタッチパネルとは異なる形態に係るタッチパネルを示す模式的断面図である。
【発明を実施するための形態】
【００２９】
［第一実施形態］
〈視野角制限シート１〉
以下、適宜図面を参照しつつ、本発明の実施の形態を詳説する。
【００３０】
図１の視野角制限シート１は、光学機能層２と、基材層３とを有している。
【００３１】
（光学機能層２）
光学機能層２は、多条状に突設される複数の第一光透過部４と、複数の第一光透過部４の間に充填される第二光透過部５とを有している。第一光透過部４と第二光透過部５とは異なる光学的機能を奏するように形成されている。光学機能層２の表面及び裏面は、面一に形成されている。光学機能層２は、第一光透過部４と第二光透過部５とが互いに隙間なく交互に配置されている。
【００３２】
光学機能層２の厚み（Ｔ）としては、特に限定されないが、１０μｍ以上７０μｍ以下が好ましい。光学機能層２の厚み（Ｔ）の上限値は、６０μｍがより好ましく、５０μｍがさらに好ましい。一方、光学機能層２の厚み（Ｔ）の下限値は、１５μｍがより好ましく、２０μｍがさらに好ましい。光学機能層２の厚み（Ｔ）が上記上限値を超える場合、光線透過性が低下するおそれがあるとともに、当該視野角制限シート１の薄型化の要求に反するおそれがある。逆に、光学機能層２の厚み（Ｔ）が上記下限値未満である場合、第一光透過部４に含有される光拡散剤６の量が少なくなり十分な光拡散性を発揮できないおそれがある。
【００３３】
（第一光透過部４）
第一光透過部４は、樹脂製マトリックス７と、樹脂製マトリックス７に含有される光拡散剤６とを有している。第一光透過部４は、少なくとも上端の左右が面取状に形成されている。
【００３４】
マトリックス７を形成する合成樹脂としては、特に限定されないが、熱可塑性樹脂が好適に用いられる。上記熱可塑性樹脂としては、例えば、ポリエチレンテレフタレート、ポリエチレンナフタレート、アクリル樹脂、ポリカーボネート、ポリスチレン、ポリオレフィン、セルロースアセテート、耐候性塩化ビニルが挙げられる。なかでもマトリックス７を形成する合成樹脂としては、透明性、強度が高く、複屈折性の制御が容易なポリエチレンテレフタレート又はポリカーボネートが好ましく、撓み性能が改善されたポリエチレンテレフタレートが特に好ましい。
【００３５】
また、マトリックス７を形成する合成樹脂としては、電離放射線硬化型樹脂も好適に用いられる。電離放射線硬化型樹脂としては、特に限定されないが、紫外線によって硬化させることができる紫外線硬化型樹脂や電子線によって硬化させることができる電子線硬化型樹脂を用いることができる。かかる電離放射線硬化型樹脂としては、入手容易性や取り扱い容易性の観点から、紫外線硬化型樹脂を用いるのが好ましい。
【００３６】
上記紫外線硬化型樹脂としては、例えば、紫外線硬化型ウレタンアクリレート系樹脂、紫外線硬化型ポリエステルアクリレート系樹脂、紫外線硬化型エポキシアクリレート系樹脂、紫外線硬化型ポリオールアクリレート系樹脂、紫外線硬化型エポキシ樹脂が挙げられ、なかでも紫外線硬化型アクリレート系樹脂が好ましい。
【００３７】
当該視野角制限シート１は、マトリックス７を形成する樹脂として電離放射線硬化型樹脂が用いられることによって、第一光透過部４の形成容易性を向上させることができるとともに、形成後の第一光透過部４の精度を高めることができる。また、当該視野角制限シート１は、マトリックス７が電離放射線硬化型樹脂によって形成されることによって、第一光透過部４の物理的強度を高めることができる。
【００３８】
マトリックス７を形成する合成樹脂として紫外線硬化型樹脂が用いられる場合、光重合開始剤が併用されるのが好ましい。かかる光重合開始剤としては、例えば、ベンゾイン及びその誘導体、アセトフェノン、ベンゾフェノン、ヒドロキシベンゾフェノン、ミヒラーズケトン、α−アミロキシムエステル、チオキサントン等並びにこれらの誘導体を挙げることができる。
【００３９】
上記光重合開始剤の含有量としては、特に限定されないが、紫外線硬化型樹脂に対して１質量％以上１０質量％以下が好ましく、３質量％以上６質量％以下がより好ましい。光重合開始剤の含有量が上記上限を超える場合、紫外線硬化型樹脂の重合度が低下するおそれがある。逆に、光重合開始剤の含有量が上記下限未満である場合、十分に硬化反応が進行しないおそれがある。
【００４０】
また、マトリックス７には、必要に応じて、硬化剤、可塑剤、分散剤、各種レベリング剤、紫外線吸収剤、抗酸化剤、粘性改質剤、潤滑剤、光安定化剤等の添加剤が適宜配合されてもよい。
【００４１】
また、マトリックス７は、顔料を分散含有しているとよい。マトリックス７が分散含有する顔料は、特に限定されるものではなく、白色顔料、黒色顔料、青色顔料、赤色顔料等が挙げられる。マトリックス７が分散含有する顔料は、無機顔料であっても有機顔料であってもよいが、耐光性等に優れる無機顔料が好適に用いられる。
【００４２】
上記白色顔料としては、特に限定されるものではなく、炭酸カルシウム、酸化チタン、酸化亜鉛、炭酸鉛、硫酸バリウム、酸化シリコン、酸化アルミニウム等が挙げられる。
【００４３】
上記黒色顔料としては、特に限定されるものではなく、カーボンブラック、黒色酸化鉄等が挙げられる。
【００４４】
上記青色顔料としては、特に限定されるものではなく、コバルトブルー、ウルトラマリン、プルシアンブルー、ターコイズブルー、マンガニーズブルー、フタロシアニンブルー等が挙げられる。
【００４５】
上記赤色顔料としては、特に限定されるものではなく、べんがら（酸化鉄赤）、カドミウムレッド、モリブデンオレンジ等が挙げられる。
【００４６】
上記顔料の平均粒子径としては、特に限定されないが、１００ｎｍ以上５μｍ以下が好ましい。上記顔料の平均粒子径の上限値は、３μｍがより好ましく、１μｍがさらに好ましい。一方、上記顔料の平均粒子径の下限値は、２００ｎｍがより好ましく、３００ｎｍがさらに好ましい。上記顔料の平均粒子径が上記上限値を超える場合、第一光透過部４の幅が大きくなりすぎるおそれがある。逆に、上記顔料の平均粒子径が上記下限値未満の場合、顔料の分散性が低下するおそれがある。なお、本発明における平均粒子径は、倍率１０００倍の電子顕微鏡において観測される粒子から無作為に抽出した３０個の粒子の粒子径を平均したものをいう。また、粒子径は、フェレー径（一定方向の平行線で投影像を挟んだときの間隔）で定義する。
【００４７】
上記顔料のマトリックス７に対する含有量としては、特に限定されないが、５質量部以上３０質量部以下が好ましい。上記顔料の含有量の上限値は、２５質量部がより好ましく、２０質量部がさらに好ましい。一方、上記顔料の含有量の下限値は、７質量部がより好ましく、１０質量部がさらに好ましい。上記顔料の含有量が上記上限値を超える場合、第一光透過部４によって奏される光拡散効果が低下するおそれが高くなる。逆に、上記顔料の含有量が上記下限値未満である場合、顔料によって奏される諸特性効果が低下するおそれがある。
【００４８】
当該視野角制限シート１は、マトリックス７が顔料を分散含有することによって、第一光透過部４の耐熱性、熱的寸法安定性、耐候性、強度、経年劣化防止性等を向上させることができる。また、当該視野角制限シート１は、マトリックス７が白色顔料を分散含有することで、第二光透過部５から第一光透過部４に向けられた光線を第二光透過部５に反射させることができる。その結果、当該視野角制限シート１は、正面方向の輝度を向上させることができる。また、当該視野角制限シート１は、マトリックス７に黒色顔料を分散含有させることで、第一光透過部４の光線吸収性を高めることができる。その結果、当該視野角制限シート１は、第一光透過部４に入射した光線を一定程度吸収させ、斜め方向からの視認性を低下させることができる。
【００４９】
第一光透過部４の厚み（Ｔ１）としては、特に限定されないが、９μｍ以上６０μｍ以下が好ましい。第一光透過部４の厚み（Ｔ１）の上限は、５０μｍがより好ましく、４０μｍがさらに好ましい。一方、第一光透過部４の厚み（Ｔ１）の下限は、１４μｍがより好ましく、１９μｍがさらに好ましい。第一光透過部４の厚み（Ｔ１）が上記上限を超える場合、光学機能層２の厚み（Ｔ）が大きくなり、光学機能層２の光線透過性が低下するおそれがあるとともに、当該視野角制限シート１の薄型化の要求に反するおそれが高くなる。逆に、第一光透過部４の厚み（Ｔ１）が上記下限未満である場合、第一光透過部４によって光線を好適に拡散できないおそれが高くなる。
【００５０】
第一光透過部４の裏面側の幅（Ｗ１）としては、特に限定されないが、２．５μｍ以上６０μｍ以下が好ましい。第一光透過部４の裏面側の幅（Ｗ１）の上限値は、５０μｍがより好ましく、４０μｍがさらに好ましい。一方、第一光透過部４の裏面側の幅（Ｗ１）の下限値は、５μｍがよりこのましく、７μｍがさらに好ましい。第一光透過部４の裏面側の幅（Ｗ１）が上記上限値を超える場合、第一光透過部４によって拡散される光線の量が多くなり正面方向からの画像の視認性が低下するおそれが高くなる。逆に、第一光透過部４の裏面側の幅（Ｗ１）が上記下限値未満である場合、第一光透過部４によって光線を好適に拡散できないおそれが高くなる。
【００５１】
第一光透過部４の裏面側の幅（Ｗ１）に対する厚み（Ｔ１）の比（Ｔ１／Ｗ１）としては、特に限定されないが、１／２以上４以下が好ましい。第一光透過部４の裏面側の幅（Ｗ１）に対する厚み（Ｔ１）の比（Ｔ１／Ｗ１）の上限は、３がより好ましく、２がさらに好ましい。一方、第一光透過部４の裏面側の幅（Ｗ１）に対する厚み（Ｔ１）の比（Ｔ１／Ｗ１）の下限は、２／３がより好ましく、１がさらに好ましい。第一光透過部４の裏面側の幅（Ｗ１）に対する厚み（Ｔ１）の比（Ｔ１／Ｗ１）が上記範囲外である場合、正面方向からの視認者に対して鮮明な画像を表示させることができないおそれが高くなり、また第一光透過部４を所定の印刷手法によって形成するのが困難になるおそれが高くなる。
【００５２】
マトリックス７の屈折率（ｎ１）としては、特に限定されないが、１．５７以上が好ましく、１．６以上がより好ましく、１．６３以上がさらに好ましい。マトリックス７の屈折率（ｎ１）が上記範囲内にあることによって、第二光透過部５から第一光透過部４に入射された光線が正面方向と比較的近いピークを有する光線として出射されるのを好適に防止することができ、ひいては正面方向からの視認者に対して表示される画像の鮮明度を向上させることができる。
【００５３】
なお、マトリックス７には、屈折率を向上されるため、例えば、ＺｎＯ、ＴｉＯ２、ＣｅＯ2、ＳｎＯ2、ＩＴＯ、Ｃｓ0.33ＷＯ3、Ａｌ2Ｏ3、Ｌａ2Ｏ3、ＺｒＯ2、Ｙ2Ｏ3等の高屈折率微粒子が添加されてもよい。上記高屈折率微粒子の平均粒子径としては、特に限定されないが、１ｎｍ以上１００ｎｍ以下が好ましい。上記高屈折率微粒子の平均粒子径の上限値は、８０ｎｍがより好ましく、６０ｎｍがさらに好ましい。一方、上記高屈折率微粒子の平均粒子径の下限値は、５ｎｍがより好ましく、１０ｎｍがさらに好ましい。上記高屈折率微粒子の平均粒子径が上記上限値を超える場合、第一光透過部４の透明性が低下するおそれがある。逆に、上記高屈折率微粒子の平均粒子径が上記下限値未満の場合、高屈折率微粒子の分散性が低下するおそれがある。
【００５４】
上記高屈折率微粒子のマトリックス７に対する含有量としては、特に限定されないが、例えば１０質量％以上６０質量％以下とすることができる。
【００５５】
光拡散剤６は、第一光透過部４中に略等密度で含有されている。光拡散剤６は、光線を拡散させる性質を有する粒子であり、無機フィラーと有機フィラーに大別される。無機フィラーとしては、例えばシリカ、水酸化アルミニウム、酸化アルミニウム、酸化亜鉛、硫化バリウム、マグネシウムシリケート、又はこれらの混合物を用いることができる。有機フィラーの材料としては、例えばアクリル樹脂、アクリロニトリル樹脂、ポリオレフィン樹脂、ポリウレタン、ポリ塩化ビニル、ポリスチレン、ポリアクリロニトリル、ポリアミド等を用いることができる。なかでも、透明性が高いアクリル樹脂が好ましく、ポリメチルメタクリレート（ＰＭＭＡ）が特に好ましい。
【００５６】
光拡散剤６の形状としては、特に限定されるものではなく、例えば球状、紡錘形状、針状、棒状、立方状、板状、鱗片状、繊維状などが挙げられ、なかでも光拡散性に優れる球状のビーズが好ましい。
【００５７】
光拡散剤６の平均粒子径としては、特に限定されないが、１μｍ以上２５μｍ以下が好ましい。光拡散剤６の平均粒子径の上限値は、２０μｍがより好ましく、１５μｍがさらに好ましい。一方、光拡散剤６の平均粒子径の下限値は、１．５μｍがより好ましく、２μｍがさらに好ましい。光拡散剤６の平均粒子径が上記上限値を超える場合、第一光透過部４の幅が大きくなるおそれがある。逆に、光拡散剤６の平均粒子径が上記下限値未満である場合、光拡散剤６の分散性が低下するおそれがある。
【００５８】
光拡散剤６のマトリックス７に対する質量比としては、特に限定されないが、０．１以上２以下が好ましい。光拡散剤６のマトリックス７に対する質量比の上限は、１がより好ましく、０．５がさらに好ましい。一方、光拡散剤６のマトリックス７に対する質量比の下限は、０．２がより好ましく、０．３がさらに好ましい。光拡散剤６のマトリックス７に対する質量比が上記上限を超える場合、光拡散剤６を固定する効果が低下するおそれがある。逆に、光拡散剤６のマトリックス７に対する質量比が上記下限未満である場合、光拡散性が不十分となるおそれがある。
【００５９】
マトリックス７の屈折率（ｎ１）と光拡散剤６の屈折率（ｎ３）との差の絶対値（｜ｎ１−ｎ３｜）としては、特に限定されないが、０．０３以上が好ましく、０．０６以上がより好ましく、０．０９以上がさらに好ましい。マトリックス７の屈折率（ｎ１）と光拡散剤６の屈折率（ｎ３）との差の絶対値（｜ｎ１−ｎ３｜）が上記下限未満である場合、第一光透過部４に入射した光線をマトリックス７と光拡散剤６との界面で好適に拡散することができないおそれがある。
【００６０】
また、マトリックス７の屈折率（ｎ１）は、光拡散剤６の屈折率（ｎ３）よりも大きい方が好ましい。当該視野角制限シート１は、マトリックス７の屈折率（ｎ１）が光拡散剤６の屈折率（ｎ３）よりも大きいことによって、マトリックス７と光拡散剤６との界面によって光線を好適に拡散することができる。
【００６１】
第一光透過部４の先端部９の断面形状としては、特に限定されないが、逆Ｕ字状に形成されるとよい。当該視野角制限シート１は、先端部９の断面形状が逆Ｕ字状であることによって、第一光透過部４と第二光透過部５との接触面積を好適に大きくすることができる。また、当該視野角制限シート１は、かかる構成によれば、先端部９の側面の傾斜角を調整することによって、好適に視野角を調整することができる。
【００６２】
（第二光透過部５）
第二光透過部５は、第一光透過部４の先端部９を覆うように形成される表層部１０を有している。第二光透過部５は、表層部１０によって一体的に形成されている。
【００６３】
第二光透過部５は、光線を透過させる必要があるので透明、特に無色透明の合成樹脂を主成分として形成されている。第二光透過部５の主成分の合成樹脂としては、特に限定されるものではないが、第一光透過部４のマトリックス７を形成する合成樹脂と同様の合成樹脂が挙げられる。また、第二光透過部５には、第一光透過部４と同様の添加剤が添加されていてもよい。
【００６４】
第二光透過部５の厚み（Ｔ２）としては、特に限定されないが、一般的には光学機能層２の厚み（Ｔ）と同一とされている。
【００６５】
第二光透過部５の裏面側の幅（Ｗ２）としては、特に限定されないが、１０μｍ以上２００μｍ以下が好ましい。第二光透過部５の裏面側の幅（Ｗ２）の上限値は、１５０μｍがより好ましく、１００μｍがさらに好ましい。一方、第二光透過部５の裏面側の幅（Ｗ２）の下限値は、１５μｍがより好ましく、２０μｍがさらに好ましい。第二光透過部５の裏面側の幅（Ｗ２）が上記上限値を超える場合、斜め方向からの個人情報の漏洩を好適に防止できないおそれが高くなる。逆に、第二光透過部５の裏面側の幅（Ｗ２）が上記下限未満である場合、正面方向からの視認者に対して鮮明な画像を表示させることができなくなるおそれが高くなる。
【００６６】
第二光透過部５の裏面側の幅（Ｗ２）に対する厚み（Ｔ２）の比（Ｔ２／Ｗ２）としては、特に限定されないが、１／３以上４以下が好ましい。第二光透過部５の裏面側の幅（Ｗ２）に対する厚み（Ｔ２）の比（Ｔ２／Ｗ２）の上限は、３がより好ましく、２がさらに好ましい。一方、第二光透過部５の裏面側の幅（Ｗ２）に対する厚み（Ｔ２）の比（Ｔ２／Ｗ２）の下限は、２／３がより好ましく、１がさらに好ましい。厚み比（Ｔ２／Ｗ２）が上記上限を超える場合、第二光透過部５の表面側から出射される光線の量が減少するとともに、視野角を好適に調整できないおそれが高くなる。また、厚み比（Ｔ２／Ｗ２）が上記下限未満である場合、視野角が広くなりすぎ、斜め方向から視認者に対して個人情報等が漏洩するおそれが高くなる。
【００６７】
第二光透過部５の裏面側の幅（Ｗ２）の第一光透過部４の裏面側の幅（Ｗ１）に対する比（Ｗ２／Ｗ１）としては、特に限定されないが、１以上４以下が好ましい。第二光透過部５の裏面側の幅（Ｗ２）の第一光透過部４の裏面側の幅（Ｗ１）に対する比（Ｗ２／Ｗ１）の上限は、３がより好ましく、２がさらに好ましい。一方、第二光透過部５の裏面側の幅（Ｗ２）の第一光透過部４の裏面側の幅（Ｗ１）に対する比（Ｗ２／Ｗ１）の下限は、１．５がより好ましく、２がさらに好ましい。第二光透過部５の裏面側の幅（Ｗ２）の第一光透過部４の裏面側の幅（Ｗ１）に対する比（Ｗ２／Ｗ１）が上記上限を超える場合、視野角が広くなりすぎるおそれが高くなる。逆に、第二光透過部５の裏面側の幅（Ｗ２）の第一光透過部４の裏面側の幅（Ｗ１）に対する比（Ｗ２／Ｗ１）が上記下限未満である場合、第一光透過部４によって拡散される光線によって正面方向から視認した場合の画像の鮮明度が低下するおそれが高くなる。
【００６８】
第二光透過部５の屈折率（ｎ２）としては、マトリックス７の屈折率（ｎ１）と相違していることが好ましい。また、第二光透過部５の屈折率（ｎ２）は、マトリックス７の屈折率（ｎ１）よりも小さいことが好ましい。当該視野角制限シート１は、第二光透過部５の屈折率（ｎ２）が、マトリックス７の屈折率（ｎ１）よりも小さいことにより、第二光透過部５から第一光透過部４に入射された光線を正面方向と垂直な方向に向けることができる。それゆえ、当該視野角制限シート１は、正面方向と比較的近い方向にピークを有する光線が第一光透過部４の表面側から出射されるのを防止することができ、ひいては正面方向からの視認者に対して表示される画像の鮮明度を向上させることができる。
【００６９】
また、第二光透過部５の屈折率（ｎ２）がマトリックス７の屈折率（ｎ１）よりも小さい場合において、マトリックス７の屈折率（ｎ１）と第二光透過部５の屈折率（ｎ２）との差（ｎ１−ｎ２）としては、特に限定されないが、０．１５以上が好ましく、０．３以上がより好ましく、０．４５以上がさらに好ましい。マトリックス７の屈折率（ｎ１）と第二光透過部５の屈折率（ｎ２）との差（ｎ１−ｎ２）が上記下限未満である場合、正面方向からの視認者に対して表示される画像の鮮明度を好適に向上させることが困難になるおそれが高くなる。
【００７０】
表層部１０の厚み（ｔ２）としては、特に限定されないが、１μｍ以上１０μｍ以下が好ましい。表層部１０の厚み（ｔ２）の上限は、８μｍがより好ましく、６μｍがさらに好ましい。一方、表層部１０の厚み（ｔ２）の下限は、２μｍがより好ましく、３μｍがさらに好ましい。表層部１０の厚み（ｔ２）が上記上限を超える場合、当該視野角制限シート１の薄型化の要求に反するおそれが高くなる。逆に、表層部１０の厚み（ｔ２）が上記下限未満である場合、当該視野角制限シート１の強度を好適に高めることができないおそれが高くなる。
【００７１】
（基材層３）
基材層３は、第一光透過部４及び第二光透過部５の裏面に形成されている。基材層３の厚みとしては、特に限定されないが、１μｍ以上１０μｍ以下が好ましい。基材層３の厚みの上限値は、８μｍがより好ましく、６μｍがさらに好ましい。一方、基材層３の厚みの下限値は、２μｍがより好ましく、３μｍがさらに好ましい。基材層３の厚みが上記上限値を超える場合、当該視野角制限シート１の薄型化の要求に反するおそれが高くなる。逆に、基材層３の厚みが上記下限値未満である場合、当該視野角制限シート１の強度を好適に高めることができないおそれが高くなる。
【００７２】
〈光線の拡散作用〉
次に、図２を参照して、当該視野角制限シート１の裏面側から入射される光線の拡散作用について説明する。なお、図２において、光線Ｌは、第二光透過部５の裏面側から入射され、正面方向にピークを示す分布の光線である。
【００７３】
まず、光線Ｌのうち、第二光透過部５の裏面側から略垂直に入射される光線Ｌ１は、第二光透過部５を透過して、第二光透過部５の表面側から略垂直に出射される。
【００７４】
一方、光線Ｌのうち、光線Ｌ１とθ１の角度をもって第二光透過部５の裏面側から入射される光線Ｌ２は、第二光透過部５に入射されたのち、第一光透過部４の先端部９の表面側を通過して第二光透過部５の表面側から出射される。
【００７５】
これに対し、光線Ｌのうち、光線Ｌ１とθ２の角度をもって第二光透過部５の裏面側から入射される光線Ｌ３は、第二光透過部５から第一光透過部４に入射される際に、第二光透過部５と第一光透過部４との界面で正面方向と垂直な方向に屈折される。さらに、光線Ｌ３は、第一光透過部４中で、マトリックス７と光拡散剤６との界面で拡散される。そして、光線Ｌ３の拡散光である光線Ｌ３’’は、光線Ｌ３及び光線Ｌ３’よりも強度が小さくなった状態で第一光透過部４と第二光透過部５との界面で正面方向側に屈折され、第二光透過部５の表面側から、正面方向と所定の角度をもって出射される。
【００７６】
このように、当該視野角制限シート１は、第二光透過部５に入射される光線のうち第一光透過部４に入射されない光線によって、所望の視野角を保ちつつ鮮明な画像を表示させることができる。また、当該視野角制限シート１は、第二光透過部５から第一光透過部４に入射された光線については好適に拡散させたうえで出射させることで、斜め方向からの情報の漏洩を防止することができる。
【００７７】
〈製造方法〉
図３を参照して当該視野角制限シート１の製造方法について説明する。当該視野角制限シート１の製造方法としては、上記構造のものが形成できれば特に限定されるものではなく、種々の方法が採用される。当該視野角制限シート１の製造方法としては、例えば、（１）（イ）に示すように、基材層３に多条状に突設される複数の第一光透過部４を積層形成する工程と、（２）（ロ）に示すように、複数の第一光透過部４の間に第一光透過部と異なる光学的機能を奏する第二光透過部５の形成材料を充填する工程と、（３）第二光透過部５の形成材料を固化することで第二光透過部５を形成する工程とを有している。
【００７８】
また、上記（１）の工程としては、（ａ）基材層３の表面に多条状に突設される複数の第一光透過部４の形成材料を塗布する工程と、（ｂ）第一光透過部４の形成材料に紫外線等を照射して硬化させ、第一光透過部４を形成する工程とを有している。また、上記（ａ）の工程における基材層３の表面に複数の第一光透過部４の形成材料を塗布する方法としては、グラビア印刷、フレキソ印刷、シルクスクリーン印刷、オフセット印刷等、公知の印刷手法を挙げることができる。当該視野角制限シート１は、このような手法によって第一光透過部４の形成材料を塗布することにより、第一光透過部４の先端部９を容易に形成することができる。
【００７９】
当該視野角制限シート１は、このような方法によって製造するようにすれば、第一光透過部４を一般的な印刷手法によって容易に形成することができる。
【００８０】
また、上記以外の当該視野角制限シート１の製造方法としては、例えば（１）シート状の表層部１０と、表層部１０から裏面側に溝を形成する複数の凸状体とを有する第二光透過部５を形成する工程と、（２）第二光透過部５に形成された凸状体の間に第二光透過部５と異なる光学的機能を奏する第一光透過部４形成材料を充填する工程と、（３）第一光透過部４形成材料を固化することで第一光透過部４を形成する工程と、（４）第一光透過部４及び第二光透過部５の裏面に基材層３を塗工する工程とを有している。
【００８１】
上記（１）の工程としては、具体的には、
（ａ）第二光透過部５の裏面の反転形状を有するシート型に合成樹脂を積層し、そのシート型を剥がすことで形成する方法、
（ｂ）第二光透過部５の裏面の反転形状を有する金型に溶融樹脂を注入する射出成型法、
（ｃ）シート化された樹脂を再加熱して前記と同様の金型と金属板との間にはさんでプレスして形状を転写する方法、
（ｄ）第二光透過部５の裏面の反転形状を周面に有するロール型と他のロールとのニップに溶融状態の樹脂を通し、上記形状を転写する押出しシート成形法、
（ｅ）シート状の表層部１０に紫外線硬化型樹脂を塗布し、上記と同様の反転形状を有するシート型、金型又はロール型に押さえ付けて未硬化の紫外線硬化型樹脂に形状を転写し、紫外線をあてて紫外線硬化型樹脂を硬化させる方法、
（ｆ）上記と同様の反転形状を有する金型又はロール型に未硬化の紫外線硬化性樹脂を充填塗布し、シート状の表層部１０で押さえ付けて均し、紫外線をあてて紫外線硬化型樹脂を硬化させる方法等が挙げられる。
【００８２】
上記（２）の工程としては、具体的には、
第二光透過部５の裏面に形成される凹状の隙間に光拡散剤６が含有された液状の樹脂組成物を充填する方法が挙げられる。
【００８３】
上記（３）の工程としては、具体的には、
第二光透過部５の裏面に形成される凹状の隙間に充填された樹脂組成物を乾燥させた後、紫外線等を照射して硬化させ、所定の厚みを有する第一光透過部４を形成する方法が挙げられる。また、光拡散剤６が含有された樹脂組成物を充填する方法としては、特に限定されず、スピンコート法、ブレードコート法、ダイコート法等が挙げられる。
【００８４】
当該視野角制限シート１は、かかる製造方法によっても容易に製造することができる。
【００８５】
当該視野角制限シート１は、第一光透過部４及び第二光透過部５の光学的機能が相違しているので、第一光透過部４及び第二光透過部５のうちのいずれか一方に入射した光線の透過方向を変更することができる。従って、当該視野角制限シート１は、光学機能層２に対して略垂直に入射され、第二光透過部５のみを透過する光線によって正面側の視認者（ユーザ）に対して鮮明な画像を表示させるとともに、第一光透過部４に入射される光線の透過方向を変更して所定方向からの視認者に対して表示される画像をぼやけさせることができ、個人情報等の漏洩を防止することができる。また、当該視野角制限シート１は、第二透過部５が複数の第一光透過部４の間に充填され、かつ第一光透過部４の上端の左右が面取状に形成されているので、第一光透過部４と第二光透過部５との接触面積が大きくなり、第一光透過部４と第二光透過部５とを強固に固定することができる。その結果、当該視野角制限シート１は、形状安定性等を向上させることができる。
【００８６】
当該視野角制限シート１は、第一光透過部４が、樹脂製マトリックス７と、マトリックス７に含有される光拡散剤６とを有しているので、裏面側から第二光透過部５に対して所定の斜め方向から入射された光線については第一光透過部４によって拡散させたうえで出射させることができる。一方、当該視野角制限シート１は、裏面側から第二光透過部５に対して略垂直に入射された光線については第二光透過部５の表面側から略垂直に出射させることができる。従って、当該視野角制限シート１は、正面方向からの視認者に対しては鮮明な画像を表示させることができるとともに、斜め方向からの視認者に対しては表示される画像をぼやけさせることで個人情報等の漏洩を防止することができる。当該視野角制限シート１は、裏面側から第二光透過部５に対して所定の斜め方向から入射された光線を第一光透過部４によって拡散させることで個人情報等の漏洩を防止するものであるから、正面輝度の低下を抑制することができる。当該視野角制限シート１は、第一光透過部４の上端の左右が面取状に形成されているので、この上端の形状を調整することで、視野角を容易かつ好適に調整することができる。
【００８７】
当該視野角制限シート１は、光学機能層２が、第一光透過部４及び第二光透過部５の裏面側に配設される基材層３を備えているので、成形性、強度、形状安定性等を向上させることができる。
【００８８】
当該視野角制限シート１は、第二光透過部５が、第一光透過部４の先端部９を覆うよう一体的に形成されているので、成形性、強度、形状安定性等を向上させることができる。
【００８９】
当該視野角制限シート１は、光学機能層２の表面が面一であるので、出射光線を容易に制御することができる。また、当該視野角制限シート１は、光学機能層２の厚みを一定に保ち、使用性及び光学的均一性を向上させることができる。
【００９０】
当該視野角制限シート１は、光学機能層２の裏面が面一であるので、入射光線を容易に制御することができる。また、当該視野角制限シート１は、光学機能層２の厚みを一定に保ち、使用性及び光学的均一性を向上させることができる。
【００９１】
［第二実施形態］
〈視野角制限シート１１〉
図４の視野角制限シート１１は、光学機能層１２と、基材層３とを有している。本実施形態における基材層３は、図１の基材層３と同様のため、同一番号を付して説明を省略する。
【００９２】
（光学機能層１２）
光学機能層１２は、多条状に突設される複数の第一光透過部４と、複数の第一光透過部４の間に充填される第二光透過部１４と、第一光透過部４と交叉して配設される第三光透過部１３とを有している。本実施形態における第一光透過部４は、図１の第一光透過部４と同様のため、同一番号を付して説明を省略する。第三光透過部１３は、第一光透過部４と略直角に交叉するように配設されている。第三光透過部１３同士は、略平行に略等間隔で配設されている。光学機能層１２の表面及び裏面は面一に形成されている。光学機能層１２は、第一光透過部４、第二光透過部１４及び第三光透過部１３が隙間なく配置されている。光学機能層１２の厚（Ｔ）みは、光学機能層２の厚みと同様である。
【００９３】
（第三光透過部１３）
第三光透過部１３は、樹脂製マトリックス７と、マトリックス７に含有される光拡散剤６とを有している。第三光透過部１３に含有される光拡散剤６は、第一光透過部４に含有される光拡散剤６と同様である。また、第三光透過部１３に含有されるマトリックス７は、第一光透過部４に含有されるマトリックス７と同様である。第三光透過部１３は、上端の左右が面取状に形成されている。第三光透過部１３の厚み（Ｔ３）、幅（Ｗ３）、幅（Ｗ３）に対する厚み（Ｔ３）の比（Ｔ３／Ｗ３）は、第一光透過部４と同様である。
【００９４】
第三光透過部１３の配設ピッチは、第一光透過部４の配設ピッチよりも大きくなるように形成されている。当該視野角制限シート１１は、第三光透過部１３の配設ピッチが第一光透過部４の配設ピッチよりも大きいことにより、主として第一光透過部４によって一方向側の視野角を制御しつつ、さらに第三光透過部１３によって他方向側の視野角を好適に制御することができる。
【００９５】
（第二光透過部１４）
第二光透過部１４は、光線を透過させる必要があるので透明、特に無色透明の合成樹脂を主成分として形成されている。第二光透過部１４の主成分として用いられる合成樹脂としては、第二光透過部５の主成分として用いられる合成樹脂と同様である。第二光透過部１４には、第二光透過部５と同様の添加剤が添加されていてもよい。第二光透過部１４は、第一光透過部４の先端部９及び第三光透過部１３の先端部１６を覆うように形成される表層部１７を有している。第二光透過部１４は、表層部１７によって一体的に形成されている。表層部１７の厚み（ｔ２）は、表層部１０の厚みと同様である。また、第二光透過部１４の厚み（Ｔ２）、幅（Ｗ２）に対する厚み（Ｔ２）の比（Ｔ２／Ｗ２）、第二光透過部１４の幅（Ｗ２）の第一光透過部４の幅（Ｗ１）に対する比（Ｗ２／Ｗ１）、第二光透過部１４の屈折率（ｎ２）は、第二光透過部５と同様である。
【００９６】
〈製造方法〉
当該視野角制限シート１１の製造方法としては、上記構造のものが形成できれば特に限定されるものではないが、一般的には視野角制限シート１と同様の工程を有している。具体的には、第一光透過部４及び第三光透過部１３をそれぞれ基材層３に多条状に積層する工程としては、（ａ）基材層３の表面に多条状に突設される複数の第一光透過部４の形成材料及び複数の第三光透過部１３の形成材料を塗布する工程と、（ｂ）第一光透過部４の形成材料及び第三光透過部１３の形成材料に紫外線等を照射して硬化させ、第一光透過部４及び第三光透過部１３を形成する工程とを有している。また、上記（ａ）の工程における基材層３の表面に複数の第一光透過部４の形成材料及び複数の第三光透過部１３の形成材料を塗布する方法としては、グラビア印刷、フレキソ印刷、シルクスクリーン印刷、オフセット印刷等、公知の印刷手法を挙げることができる。当該視野角制限シート１１は、このような手法によって第一光透過部４の形成材料及び第三光透過部１３の形成材料を塗布することにより、第一光透過部４の上端及び第三光透過部１３の上端の左右を面取状に形成することができる。
【００９７】
当該視野角制限シート１１は、光学機能層１２が、第一光透過部４と交叉して配設される第三光透過部１３を備えているので、裏面側から第二光透過部１４に対して所定の斜め方向から入射された光線については第一光透過部４及び第三光透過部１３によって拡散させたうえで出射させることができる。従って、当該視野角制限シート１１は、斜め方向からの視認者によって個人情報等が漏洩するおそれを著しく低減することができる。
【００９８】
［第三実施形態］
〈視野角制限シート２１〉
図５の視野角制限シート２１は、光学機能層２２と、基材層３とを有している。本実施形態における基材層３は、図１の基材層３と同様のため、同一番号を付して説明を省略する。
【００９９】
（光学機能層２２）
光学機能層２２は、多条状に突設される複数の第一光透過部２３と、複数の第一光透過部２３の間に充填される第二光透過部２４とを有している。光学機能層２２の表面及び裏面は面一に形成されている。光学機能層２２は、第一光透過部２３と第二光透過部２４とが隙間なく配置されている。光学機能層２２の厚み（Ｔ）は、光学機能層２の厚みと同様である。
【０１００】
（第一光透過部２３）
第一光透過部２３は、樹脂製マトリックス７と、マトリックス７に含有される光拡散剤６とを有している。第一光透過部２３に含有される光拡散剤６は、第一光透過部４に含有される光拡散剤６と同様である。第一光透過部２３に含有されるマトリックス７は、第一光透過部４に含有されるマトリックス７と同様である。光学機能層２２において、複数の第一光透過部２３は、長手方向及び幅方向に一定の間隔をもって配設されている。第一光透過部２３は、上端の左右が面取状に形成されている。第一光透過部２３の先端部２５は、長手方向の左右及び幅方向左右がいずれも面取状に形成されている。第一光透過部２３の厚み（Ｔ１）、幅（Ｗ１）、幅（Ｗ１）に対する厚み（Ｔ１）の比（Ｔ１／Ｗ１）については、第一光透過部４と同様である。
【０１０１】
第一光透過部２３の長手方向における配設ピッチ（Ｄ１）としては、特に限定されないが、幅方向における配設ピッチ以下であることが好ましい。当該視野角制限シート２１は、第一光透過部２３の長手方向の配設ピッチ（Ｄ１）を幅方向における配設ピッチ以下とすることによって、第二光透過部２４の表面側から略垂直に出射させる光線の量を増加させつつ、視野角を好適に制御することができる。
【０１０２】
（第二光透過部２４）
第二光透過部２４は、光線を透過させる必要があるので透明、特に無色透明の合成樹脂を主成分として形成されている。第二光透過部２４の主成分として用いられる合成樹脂としては、第二光透過部５の主成分として用いられる合成樹脂と同様である。第二光透過部２４には、第二光透過部５と同様の添加剤が添加されていてもよい。第二光透過部２４は、第一光透過部２３の先端部２５を覆うように形成される表層部２６を有している。第二光透過部２４は、表層部２６によって一体的に形成されている。表層部２６の厚み（ｔ２）は、表層部１０の厚みと同様である。また、第二光透過部２４の厚み（Ｔ２）、幅（Ｗ２）に対する厚み（Ｔ２）の比（Ｔ２／Ｗ２）、第二光透過部２４の幅（Ｗ２）の第一光透過部２３の幅（Ｗ１）に対する比（Ｗ２／Ｗ１）、第二光透過部２４の屈折率（ｎ２）は、第二光透過部５と同様である。
【０１０３】
〈製造方法〉
当該視野角制限シート２１の製造方法としては、上記構造のものが形成できれば特に限定されるものではないが、一般的には視野角制限シート１と同様の工程を有している。
【０１０４】
当該視野角制限シート２１は、複数の第一光透過部２３が長手方向に一定の間隔をもって配設されているので、この間隔部分から光線を表面側に略垂直に出射させることができる。従って、当該視野角制限シート２１は、表面方向からの視認者に対してさらに良好な画像を表示することができる。
【０１０５】
［第四実施形態］
〈タッチパネル３１〉
図６のタッチパネル３１は、基板３２と、透明導電層３３と、粘着層３４と、基板３５と、視野角制限シート１とを有している。本実施形態における視野角制限シート１は、図１の視野角制限シート１と同様のため、同一番号を付して説明を省略する。タッチパネル３１は、表示パネル（図示せず）の表面側に配設されている。タッチパネル３１は、表示パネルから出射される画像光を表面側に出射する。タッチパネル３１は、静電容量方式のタッチパネルとして形成されている。
【０１０６】
基板３２は透明な絶縁性材料から形成されている。具体的には、基板３２はガラス基板として形成されている。透明導電層３３は、透明性と導電性とを有する導電性材料によって形成されている。透明導電層３３の形成材料としては、例えば無機系金属や有機導電高分子が挙げられる。無機系金属としては、例えば金、銀、銅、白金、ニッケル、酸化錫、酸化インジウム錫（ＩＴＯ）が挙げられる。有機導電高分子としては、例えばポリアニリン、ポリチオフェン、ポリピロール、ポリキノキサリン等を用いた有機導電性組成物が挙げられる。なかでも、光学特性、外観及び導電性が良好なＩＴＯ又はポリチオフェン系材料が好ましい。粘着層３４は、透明導電層３３と基板３５とを接着している。粘着層３４の形成材料としては、特に限定されないが、アクリル系樹脂、ウレタン系樹脂等の公知の粘着性樹脂が挙げられる。基板３５は透明な絶縁性基板であって、基板３２と同様にガラス基板として形成されている。視野角制限シート１は、基板３５の裏面に積層されている。視野角制限シート１は、粘着層（図示せず）によって基板３５の裏面に積層されている。視野角制限シート１は、第一光透過部４の長手方向が、タッチパネル３１の上下方向と平行になるように配置されている。
【０１０７】
当該視野角制限シート１は、表示パネルの表面側に配設されるので、正面方向からの視認者に対して鮮明な画像を表示させるとともに、斜め方向からの個人情報等の漏洩を好適に防止することができる。
【０１０８】
当該タッチパネル３１は、当該視野角制限シート１の第一光透過部４及び第二光透過部５の光学的機能が相違しており、第一光透過部４に入射した光線の透過方向を変更することができる。従って、当該タッチパネル３１は、当該視野角制限シート１の光学機能層２に対して略垂直に入射され、第二光透過部５のみを透過する光線によって正面側の視認者に対して鮮明な画像を表示させるとともに、第一光透過部４に入射される光線の透過方向を変更して所定方向からの視認者に対して表示される画像をぼやけさせることができ、個人情報等の漏洩を防止することができる。
【０１０９】
［第五実施形態］
〈視野角制限シート４１〉
図７の視野角制限シート４１は、光学機能層４２と、基材層３とを有している。基材層３については、図１の基材層３と同様のため説明を省略する。
【０１１０】
（光学機能層４２）
光学機能層４２は、多条状に突設される複数の第一光透過部４３と、複数の第一光透過部４３の間に充填される第二光透過部４４とを有している。第一光透過部４３と第二光透過部４４とは異なる光学的機能を奏するように形成されている。光学機能層４２の表面及び裏面は、面一に形成されている。光学機能層４２は、第一光透過部４３と第二光透過部４４とが互いに隙間なく交互に配置されている。光学機能層４２の厚み（Ｔ）は、光学機能層２の厚みと同様である。
【０１１１】
（第一光透過部４３）
第一光透過部４３は、上端の左右が面取状に形成されている。第一光透過部４３は、光線を透過させる必要があるので透明、特に無色透明の合成樹脂を主成分として形成されている。第一光透過部４３の主成分の合成樹脂としては、第二光透過部５の主成分と同様の合成樹脂が挙げられる。また第一光透過部４３には、第二光透過部５と同様の添加剤が添加されていてもよい。
【０１１２】
（第二光透過部４４）
第二光透過部４４は、樹脂製マトリックス４８と、マトリックス４８に含有される光拡散剤４７とを有している。第二光透過部４４に含有される光拡散剤４７としては、第一光透過部４に含有される光拡散剤６と同様のものを用いることができる。また、第二光透過部４４に含有されるマトリックス４８としては、第一光透過部４に含有されるマトリックス７と同様のものを用いることができる。
【０１１３】
第二光透過部４４は、第一光透過部４３の先端部４６を覆うように形成される表層部４９を有している。第二光透過部４４は、表層部４９によって一体的に形成されている。表層部４９の厚み（ｔ２）としては、表層部１０の厚みと同様である。
【０１１４】
〈製造方法〉
当該視野角制限シート４１の製造方法としては、上記構造のものが形成できれば特に限定されるものではないが、例えば、視野角制限シート１と同様、（１）基材層３に多条状に突設される複数の第一光透過部４３を積層形成する工程と、（２）複数の第一光透過部４３の間に第一光透過部と異なる光学的機能を奏する第二光透過部４６の形成材料を充填する工程と、（３）第二光透過部４６の形成材料を固化することで第二光透過部４６を形成する工程とを有している。
【０１１５】
また、上記以外の当該視野角制限シート４１の製造方法としては、例えば（１）基材層３と基材層３から表面側に突設される複数の第一光透過部４３を形成する工程と、（２）第一光透過部４３の間に第一光透過部４３と異なる光学的機能を奏する第二光透過部４４の形成材料を充填する工程と、（３）第二光透過部４４の形成材料を固化することで第二光透過部４４を形成する工程とを有している。
【０１１６】
上記（１）の工程としては、具体的には、
（ａ）基材層３及び第一光透過部４３の表面の反転形状を有するシート型に合成樹脂を積層し、そのシート型を剥がすことで形成する方法、
（ｂ）基材層３及び第一光透過部４３の表面の反転形状を有する金型に溶融樹脂を注入する射出成型法、
（ｃ）シート化された樹脂を再加熱して前記と同様の金型と金属板との間にはさんでプレスして形状を転写する方法、
（ｄ）基材層３及び第一光透過部４３の表面の反転形状を周面に有するロール型と他のロールとのニップに溶融状態の樹脂を通し、上記形状を転写する押出しシート成形法、
（ｅ）基材層３に紫外線硬化型樹脂を塗布し、上記と同様の反転形状を有するシート型、金型又はロール型に押さえ付けて未硬化の紫外線硬化型樹脂に形状を転写し、紫外線をあてて紫外線硬化型樹脂を硬化させる方法、
（ｆ）上記と同様の反転形状を有する金型又はロール型に未硬化の紫外線硬化型樹脂を充填塗布し、基材層３で押さえ付けて均し、紫外線をあてて紫外線硬化型樹脂を硬化させる方法等が挙げられる。
【０１１７】
上記（２）の工程としては、具体的には、
複数の第一光透過部４３の間に第二光透過部４６の形成材料を、スピンコート法、ブレードコート法、ダイコート法等によって充填する方法が挙げられる。
【０１１８】
上記（３）の工程としては、具体的には、
複数の第一光透過部４３の間に充填された第二光透過部４６の形成材料を乾燥させた後、紫外線等を照射して硬化させ、所定の厚みを有する第二光透過部４６を形成する方法が挙げられる。
【０１１９】
当該視野角制限シート４１は、第二光透過部４４が、樹脂製マトリックス４８と、マトリックス４８に含有される光拡散剤４７とを有しているので、裏面側から第一光透過部４３に対して所定の斜め方向から入射された光線については第二光透過部４４によって拡散させたうえで出射させることができる。一方、当該視野角制限シート４１は、裏面側から第一光透過部４３に対して略垂直に入射された光線については第一光透過部４３の表面側から略垂直に出射させることができる。従って、当該視野角制限シート４１は、正面方向からの視認者に対しては鮮明な画像を表示させることができるとともに、斜め方向からの視認者に対しては表示される画像をぼやけさせることで個人情報等の漏洩を防止することができる。また、当該視野角制限シート４１は、第一光透過部４３の上端の左右が面取状に形成され、かつ第二光透過部４４が複数の第一光透過部４３の間に充填されているので、第二光透過部４４の上端によって防眩機能が付加される。その結果、当該視野角制限シート４１は、外光を散乱させて外光の反射や像の映り込みによる視認性の低下を防止することができる。
【０１２０】
当該視野角制限シート４１は、第二光透過部４４が、第一光透過部４３の先端部４６を覆うように形成される表層部４９を有し、かつ表層部４９によって一体的に形成されているので、成形性、強度、形状安定性等を向上させることができる。また、当該視野角制限シート４１は、表層部４９によって防眩機能をさらに向上させることができる。
【０１２１】
［第六実施形態］
〈タッチパネル５１〉
図８のタッチパネル５１は、視野角制限シート４１と、基板３２と、透明導電層３３と、粘着層３４と、基板３５とを有している。本実施形態において、視野角制限シート４１は、図７の視野角制限シート４１と同様であり、基板３２、透明導電層３３、粘着層３４及び基板３５は、図６のタッチパネル３１と同様のため、同一番号を付して説明を省略する。タッチパネル５１は、表示パネル（図示せず）の表面側に配設されている。タッチパネル５１は、表示パネルから出射される画像光を表面側に出射する。タッチパネル５１は、静電容量方式のタッチパネルとして形成されている。視野角制限シート４１は、第一光透過部４３の長手方向が、タッチパネル５１の上下方向と平行になるように配置されている。
【０１２２】
当該視野角制限シート４１は、表示パネルの表面側に配設されるので、正面方向からの視認者に対して鮮明な画像を表示させるとともに、斜め方向からの個人情報等の漏洩を好適に防止することができる。
【０１２３】
当該タッチパネル５１は、視野角制限シート４１の第一光透過部４３及び第二光透過部４４の光学的機能が相違しており、第二光透過部４４に入射した光線の透過方向を変更することができる。従って、当該タッチパネル５１は、第一光透過部４３の裏面側から略垂直に入射され、第一光透過部４３の表面側から略垂直に出射される光線によって正面側の視認者に対して鮮明な画像を表示させるとともに、第二光透過部４４に入射される光線の透過方向を変更することで所定方向からの視認者に対して表示される画像をぼやけさせることができ、個人情報等の漏洩を防止することができる。
【０１２４】
当該タッチパネル５１は、視野角制限シート４１の第二光透過部４４が複数の第一光透過部４３の間に充填されているので、第一光透過部４３の上端の左右に充填される第二光透過部４４によって防眩機能が付加される。特に、当該タッチパネル５１は、視野角制限シート４１の第二光透過部４４が表層部４９を有しているので、防眩機能をさらに向上させることができる。
【０１２５】
［他の実施形態］
なお、本発明の視野角制限シート及びこの視野角制限シートを備えるフラットパネルディスプレイ並びにこの視野角制限シートの製造方法は、上記態様の他、種々の変更、改良を施した態様で実施することができる。
【０１２６】
例えば、当該視野角制限シートは、基材層及び第二光透過部の表層部の有無については、任意に選択することができる。
【０１２７】
当該視野角制限シートは、第一光透過部及び第二光透過部が必ずしも合成樹脂から形成されている必要はなく、空気から形成される中空部であってもよい。
【０１２８】
当該視野角制限シートは、光学機能層の表面及び／又は裏面が面一である必要はない。当該視野角制限シートは、例えば、第一光透過部と第二光透過部の厚みを変更することによって、正面方向からの視認性や視野角等を調整することができる。当該視野角制限シートは、基材層と光学機能層との間に他の層が積層されていてもよい。当該視野角制限シートは、第一光透過部同士及び／又は第三光透過部同士が必ずしも等間隔で配置されていなくてもよい。
【０１２９】
当該視野角制限シートは、第一光透過部と第三光透過部とが必ずしも略直角に交叉するように配設されていなくてもよい。また、当該視野角制限シートは、第三光透過部同士の配設ピッチと第一光透過部同士の配設ピッチとが同様の長さとされていてもよい。当該視野角制限シートは、このような態様によれば、斜め方向からの個人情報等の漏洩防止効果をさらに高めることができる。
【０１３０】
当該視野角制限シートは、静電容量方式の他、抵抗膜方式や電磁誘導方式等、種々のタッチパネルに配設することができる。当該視野角制限シートは、タッチパネルに配設される場合であっても、必ずしも第一光透過部の長手方向とタッチパネルの上下方向とが平行になるように配置される必要はない。当該視野角制限シートは、必ずしもタッチパネルに取り付けて用いられる必要はなく、液晶ディスプレイやプラズマディスプレイ、有機ＥＬディスプレイ等、種々のフラットパネルディスプレイの表示パネル表面側に配設することができる。
【実施例】
【０１３１】
以下、実施例に基づき本発明を詳述するが、この実施例の記載に基づいて本発明が限定的に解釈されるものではない。
【０１３２】
［実施例１］
アクリル系樹脂をＴダイに供給し、押出成形して第二光透過部を形成するシート状の押出体を成形した。さらに、この押出体を、第一光透過部の表面側の反転形状を周面に有するロール型と他のロール型とのニップに通したうえで硬化させ、一方の面に複数の凹部を有する第二光透過部を作製した。一方、多官能ウレタン（メタ）アクリレート及び錫含有酸化インジウム粒子（ＩＴＯ）（平均一次粒径３０ｎｍ）を含むマトリックス形成材料と、このマトリックス形成材料に対して質量比０．４の割合で含有される光拡散剤（アクリル系樹脂ビーズ（平均粒子径５μｍ））とを含む塗布液を調製した。さらに、この塗布液を第二光透過部の複数の凹部に充填し、８０℃で乾燥させたうえ、紫外線を照射して硬化させた。これにより、多条状に突設される複数の第一光透過部と、複数の第一光透過部の間に充填される第二光透過部５とを有する実施例１の視野角制限シートを得た。
【０１３３】
［実施例２〜８］
第一光透過部の裏面側の幅（Ｗ１）に対する厚み（Ｔ１）の比（Ｔ１／Ｗ１）、第二光透過部の裏面側の幅（Ｗ２）、第二光透過部の裏面側の幅（Ｗ２）の第一光透過部の裏面側の幅（Ｗ１）に対する比（Ｗ２／Ｗ１）を表１に示す値とした以外は実施例１と同様にして実施例２〜８の視野角制限シートを得た。
【０１３４】
［比較例１］
アクリル系樹脂をＴダイに供給し、押出成形して第二光透過部を形成するシート状の押出体を成形した。一方、多官能ウレタン（メタ）アクリレートと、この多官能ウレタン（メタ）アクリレート１００質量部に対して３５質量部の割合で含有される光吸収材料としての黒色顔料（カーボンブラック）とを含む塗布液を調製した。次いで、この塗布液を上記押出体表面に塗工し、８０℃で乾燥させたうえ、紫外線を照射して硬化させ、第一光透過部及び第二光透過部からなる積層体を作製した。次に、この積層体と同様の構成を有する積層体を順次積層接着していき、第一光透過部と第二光透過部とが順次積層された多層体を作製した。そして、この多層体を所定の間隔で垂直方向に切断することで比較例１の視野角制限シートを得た。
【０１３５】
［特性の評価］
上記実施例１〜８と比較例１の視野角制限シートをそれぞれタッチパネルの基板の表面に積層し、視野角特性及び輝度特性について評価した。また、比較例２として、何れの視野角制限シートも用いない場合の視野角特性及び輝度特性について評価した。
【０１３６】
視野角特性の評価は、バックライトを照射した際の斜め方向（０°±４５°）の目視による表示画像の視認性によって、
（ａ）表示画像が殆ど判別できない場合を◎
（ｂ）表示画像がなんとなく判別できる場合を△
（ｃ）表示画像がはっきり判別できる場合を×
として評価した。その結果を表１に示す。
【０１３７】
輝度特性の評価は、バックライトを照射した際の正面方向（０°±５°）の目視による表示画像の視認性によって、
（ａ）輝度の低下が感じられず、かつ表示画面が鮮明に視認される場合を◎
（ｂ）輝度の低下は感じられないが、表示画面が少しぼやけて視認される場合を○、
（ｃ）輝度の低下が若干程度感じられ、かつ表示画面が少しぼやけて視認される場合を△、
（ｄ）輝度の低下が感じられる場合を×
として評価した。その結果を表１に示す。
【０１３８】
【表１】
2013242550.tif 000003
【０１３９】
上記表１に示すように、実施例１〜８の視野角制限シートを用いた場合、比較例１、２の場合と対比して、視野角特性を満たすと共に、輝度特性にも優れている。
【産業上の利用可能性】
【０１４０】
以上のように、本発明の視野角制限シート及びこの視野角制限シートを備えるフラットパネルディスプレイは、斜め方向からの個人情報等の漏洩を好適に防止することができるとともに、正面輝度の低下を抑制することができ、液晶ディスプレイやプラズマディスプレイ、有機ＥＬディスプレイ等、種々のフラットパネルディスプレイに好適に使用することができる。
【符号の説明】
【０１４１】
１  視野角制限シート
２  光学機能層
３  基材層
４  第一光透過部
５  第二光透過部
６  光拡散剤
７  マトリックス
９  先端部
１０  表層部
１１  視野角制限シート
１２  光学機能層
１３  第三光透過部
１４  第二光透過部
１６  先端部
１７  表層部
２１  視野角制限シート
２２  光学機能層
２３  第一光透過部
２４  第二光透過部
２５  先端部
２６  表層部
３１  タッチパネル
３２  基板
３３  透明導電層
３４  粘着層
３５  基板
４１  視野角制限シート
４２  光学機能層
４３  第一光透過部
４４  第二光透過部
４６  先端部
４７  光拡散剤
４８  マトリックス
４９  表層部
５１  タッチパネル
【図１】
2013242550.tif 000004
【図２】
2013242550.tif 000005
【図３】
2013242550.tif 000006
【図４】
2013242550.tif 000007
【図５】
2013242550.tif 000008
【図６】
2013242550.tif 000009
【図７】
2013242550.tif 000010
【図８】
2013242550.tif 000011